(57)【特許請求の範囲】
【請求項１】
少なくとも一つの電導体を接続するために、電気機器の導体部材に付属されたネジ端子で、雌ネジ穴を備えた接続ケージ（１２）、頭および雄ネジ加工軸部から成る雌ネジ穴と螺合するネジ（２０）を有し、該ケージおよび／または該ネジは、機器のハウジング内で移動でき、また締め付けエネルギーを蓄積するための弾性腕部で結ばれた頭部（３１）と圧力部（３２）を有する圧力部材（３０）を有し、該頭部がネジの頭下で固定され、該圧力部は導体または機器の導体部材に接合できるように構成されたネジ端子において、
−  圧力部材（３０）は、ネジ（２０）の軸面（Ｐ）に対して対称をなす二つの弾性腕部（３３、３４）を有すること、
−  弾性腕部（３３、３４）は凹型であること、
−  頭部（３１）はネジの頭（２１）により、ネジの締め付け時に圧力部材（３０）を均衡に圧縮するよう外力がかかること、
を特徴とするネジ端子。
【請求項２】
圧力部材（３０）の構成は、凹型弾性腕部（３３、３４）が、ネジ（２０）からかかる圧迫が増大する際、凹状の減小により変形することを特徴とする請求項１に記載の端子。
【請求項３】
圧力部材（３０）の頭部（３１）は、ネジ（２０）の頭（２１）に向かって傾斜面または凸型形状になっており、ネジの頭はネジの軸からわずかな距離（ｆ）で頭部に外力を加えることを特徴とする請求項１に記載の端子。
【請求項４】
圧力部材（３０）の圧力部（３２）は、導体部材（１１）に向かって凸型形状になっていることを特徴とする請求項１に記載の端子。
【請求項５】
圧力部材（３０）の頭部（３１）は、ネジ（２０）の首（２３）に係合する、その端部に結合折返し部（３１ｃ）を形成する二つの半円（３１a、３１b）を有することを特徴とする請求項１に記載の端子。
【請求項６】
圧力部材（３０）は、ケージ（１２）と組み合わせたリング形状であり、圧力部材の凹型腕部（３３、３４）内面間の最小距離（ｄ）は、ケージの幅をわずかに上回っていることを特徴とする請求項１に記載の端子。
【請求項７】
凹型弾性腕部と頭部との接合領域には、端子のハウジングの内側に設けられた、端子の開放状態を保つための維持突出部（１０a）と係合する凸角（３５）が形成されることを特徴とする請求項１に記載の端子。
【請求項８】
絶縁フラップ（３６）が、圧力部材（３０）の腕部（３３）に固定され、圧力部材（３０）と共に絶縁フラップ（３６）が移動して、機器のハウジング（１０）に形成された導体導入口の一部を遮断するようになっていることを特徴とする請求項１に記載の端子。
【発明の詳細な説明】
【０００１】
【発明の属する技術分野】
本発明は、少なくとも一つの電導体を接続するために、電気機器の導体部材に付属するネジ端子に関する。
【０００２】
より詳しくは、雌ネジ穴を備えた接続ケージ、頭および雄ネジ加工軸部から成る雌ネジ穴と螺合するネジ、ならびに電導体に接合される弾性圧力部材から成るネジ端子を対象とする。ケージおよび／またはネジは、機器のハウジング内で移動でき、圧力部材は、締め付けエネルギーを蓄積するための弾性腕部で結ばれた頭部と圧力部を有し、頭部はネジの頭により外力を加えられ、圧力部は導体または機器の導体部材に接合できる。
【０００３】
【従来の技術】
DEU1935560はこのような端子を記述している。芯線で結ばれた上腕部と下腕部を持つUボルト型の圧力部材が、上腕部で、ネジの頭の下に係合され、ケージ内に導入された導体に、下腕部により接合され、Uボルトの芯線は、部材に加圧するために、雄ネジ加工部分の長さよりも多少高くなっている。この加圧は、ネジの頭の下にかかる荷重により、端子が緩むことを防ぎ、および／または、下腕部へネジ足部を接合した後、端子により締めつけられた導体のクリープを調整可能とする。
【０００４】
しかしながら、圧力部材はU型の形状をしているので、端子を使用する際に不均衡が生じる。
【０００５】
またDE4013225は、その変形方法が記載されていないが、閉鎖式ケージ型の圧力部材を備えたネジ端子を示す。
【０００６】
【発明が解決しようとする課題】
本発明は、圧力部材において、端子のコンパクト性および圧力部材の弾性限界を考慮して、有利な変形方法を提供し、前述のネジ端子のバランスを改良することを目的とする。
【０００７】
【課題を解決するための手段】
本発明によれば、圧力部材は、ネジの軸面に対して対称をなす二つの弾性腕部を有し、弾性腕部は凹型であり、ネジを締め付ける時に、頭部はネジの頭により、圧力部材を均衡に圧縮するように、外力がかかる。望ましくは、圧力部材は、硬質ケージと組み合わせたリング形状である。
【０００８】
圧力部材の構成は、好ましくは、凹型弾性腕部が、ネジからかかる圧迫が増大すると、凹状が減小し変形する。頭部は、傾斜面または凸型になっており、ネジの頭は、上述の側面凹状の縮小効果を促進するように、ネジの軸からわずかな距離で頭部に外力を加えている。圧力部材は、二つの半円からなる差入部分で、ネジ首に係合でき、また端子を開いた状態に維持し、導体導入口側の絶縁を向上させる要素を備えること（あるいは、組になること）ができる。
【０００９】
【発明の実施の形態】
以下、添付の図を参照しながら、本発明の実施態様について説明するが、本発明はこれによって制限されるものではない。
【００１０】
図示されたネジ端子Aは、電気機器内に設置されるよう作られている。図１に、機器の要素として、端子用に設けられた絶縁ハウジング１０、および一つまたは複数の導体を押し当てる硬質電導体部材の固定接触バー１１のみを示し、このようにそれぞれがバーの上下に導入される二つの導体C１、C２が図１に示されている。ハウジング10は機器内に位置しており、これは機器のケースの一部であり、または機器のケースに付加された端子台に設けられていることを意味する。
【００１１】
端子Aは、切断され、湾曲された鉄帯の一部から形成される、ほぼ長方形な硬質リング状の公知のケージ１２を有する。硬質ケージ１２は、単辺１２aに雌ネジ穴12bを備え、導体部材の接触バー１１は、ケージ１２の、例えばほぼ長方形の、横断開口部１２c内に水平に差し込まれている。
【００１２】
ネジ２０は、作業用頭２１、雄ネジ加工軸２２、および雄ネジ加工軸と頭を結ぶ首２３から成る。雄ネジ加工軸、または雄ネジ加工されていない延長部分は、自由端部に支持部２４を形成している。
【００１３】
圧力部材３０は、ネジとともに移動するように、ネジ２０に結合されている。部材３０は、ほぼリング状にふさがれ、ネジのP軸面に対して対称をなす単一弾性部材である。この部材は、ネジ頭２１の下に位置し、首２３と押し合う頭部３１、導体C１または導体部材の接触バー１１に接触できる圧力部３２、および、ネジの軸の両側に、凸角３５をなす接合領域により部分３１、３２に接合する凹型腕部３３、３４を有する。腕部の凹状（図１、４の側面図における当該凹状参照）は、腕部がその中ほどでネジの軸に接近する。頭部３１は、ネジ首２３に係合して、部材３０の均衡を維持する役割を果たす二つの半円３１a、３１bから成る。頭部３１を構成する半円は、ネジ頭側に上る形の向きをしており頭部を全体的に傾斜した、または凸型の形状にし、部分３１は、半円の先の端部に、ネジのP軸面に沿って結合する、軸上突付け折返し部３１cを形成する。
【００１４】
圧力部３２は、部材３０の下部に全体的に凸型な形状をするように湾曲しており、導体部材１１の窪み部分１１aと係合する側面隆起３２aを形成している。
【００１５】
図１、４に示されるように、部材３０は、その腕部３３、３４の凹状と、部分３１、３２の傾斜面、または凸型形状の組み合わせで、圧縮により、圧力の増大時に減小するカーブを形成する変形が可能となるよう構成されている。なお、凹状の縮小では、凸角３５により画定される横幅a内における部材３０の維持をもたらし、この横幅自身は誘導に必要であるので、ハウジング１０の幅bより狭い。
【００１６】
不使用時には、隙間cは、ネジの押さえ支持部２４とその向かいの圧力部３２の内面３２aとの間に設けられ、この隙間cは、その縮小により圧力部材の圧迫の希望強度を実現するように設定される。腕部３３、３４の内面３３a、３４a間の最小距離d（不使用時測定）は、ケージが腕部の間を自由にスライドできるように、またはその逆が可能であるように、ケージ１２の幅eを多少上回っている。ネジの頭２１は、部分３１を、部材３０上で生じたトルクを強化させてこの腕として使用するために、ネジの軸からわずかな距離fに位置する領域で、圧力部材の頭部３１に接合する。
【００１７】
絶縁ハウジング１０は、その内壁に、端子の開放状態を保つために、圧力部材の上方角に形成された突出部と係合する少なくとも一つの固定用突起１０aを備えている。また、不要な接触リスクを削減する絶縁フラップ３６は、圧力部材とともに移動するよう、また、導体導入口の一部を遮蔽するよう腕部３４に固定されている。
【００１８】
以下に、端子の機能を記述する。端子が接続された機器により、端子は上方導体C１、または下方導体C２、あるいはC１、C２二つの導体を締めつけることとなり、ネジやケージの並進運動は、使用状況により異なることが理解されるであろう。
【００１９】
例えば導体C１の締め付けでは、雄ネジと雌ネジ穴１２bとの螺合によるネジの回転により、ケージ１２が固定導体バー１１の下部面に当接するまで上昇し、ケージ１２、およびハウジング10に対して、ネジが下降する。これは、圧力部３２の下方面がバー１１の向かい合った表面に当接するまで下降する。さらにネジの回転を継続することにより、圧力部材３０の圧縮により圧迫が生じ、腕部３３、３４の凹状が縮小し、ネジの支持部２４が圧力部３２の内面３２aに接合される（図４の左部分に斜線で示された状態）。部材３０の弾性限界を考慮して、ネジの頭が頭部に圧縮外力を加えることが好ましいと理解されるであろう。部材３０の腕部３３、３４に蓄積された弾力は、不要な回転（頭部３１により、頭２１に与えられる作用）によるネジの緩みを防ぎ、cの値までの範囲で、ネジの支持部２４に対して圧力部３２を移動させることで、導体C１のクリープによる緩みを調整する働きを持つ。
【図面の簡単な説明】
【図１】図１は、本発明によるネジ端子の部分断面図を示す。
【図２】図２は、図１の端子の側面図である。
【図３】図３は、図１の端子のIII-IIIに沿った部分断面を示す平面図。
【図４】図４は、ネジ端子の働きを示す。
【符号の説明】
１２  接続ケージ
２０  ネジ
２１  ネジの頭
３０  圧力部材
３１  頭部
３２  圧力部
３３，３４  弾性腕部
【図１】
0004060128.tif 000002
【図２】
0004060128.tif 000003
【図３】
0004060128.tif 000004
【図４】
0004060128.tif 000005